(57)【要約】      （修正有）【課題】簡易な構造で収納・運搬に嵩張らず、安全で効率よく除水することのできる吸水体絞り具を提供する。【解決手段】吸水体絞り具２は、排水受部８０の上端８１に載置した一対の台座部材４０と、台座部材４０間に載架して対向立設した一対の押圧板３０とを有し、押圧板３０から下方に延出した突出片が、押圧板３０それぞれに設けた孔部に遊挿して係合され、押圧板３０間に吸水体５０を押圧挟持して除水する。押圧板の少なくとも一方には、排水をするための複数の排水孔が穿設されている。押圧板３０は、押圧板３０の左右両端部に押圧板３０に対して立設状に形成された一対の側板３３を備えた。側板３３の底部が台座部材４０の載置面に当接して、押圧板３０が自立可能である。【選択図】図３
0003184473.tif 000002
【実用新案登録請求の範囲】
【請求項１】
排水受部の上端に載置した一対の台座部材と、
前記台座部材間に載架して対向立設した一対の押圧板と、を有し、
前記押圧板から下方に延出した突出片が、前記台座部材それぞれに設けた孔部に遊挿して係合され、
前記押圧板間に吸水体を押圧挟持して除水することを特徴とする吸水体絞り具。
【請求項２】
前記押圧板の少なくとも一方には、排水をするための複数の排水孔が穿設されている請求項１に記載の吸水体絞り具。
【請求項３】
前記押圧板は、該押圧板の左右両端部に該押圧板に対して立設状に形成された一対の側板を備えた請求項１又は２に記載の吸水体絞り具。
【請求項４】
前記側板の底部が前記台座部材の載置面に当接して、該押圧板が自立可能である請求項３に記載の吸水体絞り具。
【請求項５】
前記台座部材は、該台座部材の外側端部に該台座部材に対して立設状に形成された側部を備えた請求項１乃至４のうちのいずれか１項に記載の吸水体絞り具。
【請求項６】
前記孔部は、前記台座部材の長手方向に複数備えた請求項１乃至５のうちのいずれか１項に記載の吸水体絞り具。
【請求項７】
前記押圧板の上部を外方に折り曲げ加工して形成された把手部を備えた請求項１乃至６のうちのいずれか１項に記載の吸水体絞り具。
【考案の詳細な説明】
【技術分野】
【０００１】
本考案は、スポンジなどの吸水体に含まれた水分を除去するための吸水体絞り具に関する。更に詳しくは、野球グランド等での水溜りの水を含ませた吸水体を、簡易な構造で収納・運搬に嵩張らず、安全で効率よく除水することのできる吸水体絞り具に関する。
【背景技術】
【０００２】
野球グランド等では、一度降雨に見舞われると、所々に水溜まりが出来るのが通常である。この水溜りは、降雨直後の野球等の練習や試合の日程が組まれていることも多く、天候の回復により自然に水溜りが解消するまで待てないことが多い。
そこで、練習や試合の日程または時間に合わせるために除水作業をすることが要請される。この水溜りからの除水作業は、通常、競技者や関係者が行うが、特に裾野の広いスポーツでもある少年野球では、利用するグランドは水はけの悪いところが多く、降雨後には子供や父母が一緒になって除水作業を行うことが多い。
この除水作業は、スポンジで水溜まりの水を吸い取り、このスポンジを手で絞って、バケツ内に排水することにより行うのが通常である。
しかし、作業効率上、大きなスポンジを使用することが好ましいが、吸水した大きなスポンジを手で絞る作業は労力を要し、特に少年野球の子供らの手の大きさと握力からして、水を多く含んだスポンジを十分に絞りきることは容易ではなく、効率的に除水することが困難である。
一方、市販のモップ絞り具を用いて、足でペダルを踏み、ローラーでスポンジ挟み、引き抜くことにより除水する方法も考えられるが、柄のない柔らかいスポンジではこの方法は難しい。
【０００３】
ここで、スポンジローラーを転がすことによって吸水させる吸排水ローラーの発明が開示されている（例えば、特許文献１参照。）。
この吸排水ローラーは、長方形の加圧体に握り棒の先端を取り付け、その両側板に回動可能に垂下片を設け、両垂下片に支持させた軸に、スポンジローラーを回転自在に配設して構成されている。
この吸排水ローラーによれば、握り棒を持ちスポンジローラーを転がして水を吸収させる。そして、加圧板を圧縮することによって排水することができる。
【先行技術文献】
【特許文献】
【０００４】
【特許文献１】特開２００３−１１９７４１号公報
【考案の概要】
【考案が解決しようとする課題】
【０００５】
しかし、特許文献１に記載の吸排水ローラーでは、ローラー形状のスポンジを用意して、回動軸に取り付け、更に、握り棒、加圧体、垂下片、側板を組み合わせて構成するため、構造が複雑である。
【０００６】
本考案は、前記の問題を解決するものであり、簡易な構造で収納・運搬に嵩張らず、安全で効率よく除水することのできる吸水体絞り具を提供することを目的とする。
【課題を解決するための手段】
【０００７】
本考案は以下の通りである。
１．排水受部の上端に載置した一対の台座部材と、前記台座部材間に載架して対向立設した一対の押圧板と、を有し、前記押圧板から下方に延出した突出片が、前記台座部材それぞれに設けた孔部に遊挿して係合され、前記押圧板間に吸水体を押圧挟持して除水することを特徴とする吸水体絞り具。
２．前記押圧板の少なくとも一方には、排水をするための複数の排水孔が穿設されている１．に記載の吸水体絞り具。
３．前記押圧板は、該押圧板の左右両端部に該押圧板に対して立設状に形成された一対の側板を備えた１．又は２．に記載の吸水体絞り具。
４．前記側板の底部が前記台座部材の載置面に当接して、該押圧板が自立可能である３．に記載の吸水体絞り具。
５．前記台座部材は、該台座部材の外側端部に該台座部材に対して立設状に形成された側部を備えた１．乃至４．のうちのいずれか１項に記載の吸水体絞り具。
６．前記孔部は、前記台座部材の長手方向に複数備えた１．乃至５．のうちのいずれか１項に記載の吸水体絞り具。
７．前記押圧板の上部を外方に折り曲げ加工して形成された把手部を備えた１．乃至６．のうちのいずれか１項に記載の吸水体絞り具。
【考案の効果】
【０００８】
１．本考案の吸水体絞り具は、排水受部の上端に載置した一対の台座部材と、台座部材間に載架して対向立設した一対の押圧板とからなるため、部品点数が少なく、簡易な構造で収納・運搬に嵩張らない。
そして、押圧板から下方に延出した突出片が、台座部材それぞれに設けた孔部に遊挿して係合されている。そのため、押圧板の上部を把手して吸水体を押圧挟持した場合、孔部内面を支点として、押圧板が回動する。このように、支点から把手部である作用点までが長いため、比較的小さな力で絞りきることができ、安全で効率のよい除水作業をすることができる。
２．押圧板の少なくとも一方に、排水をするための複数の排水孔が穿設されている場合には、吸水体を押圧挟持した場合に、この排水孔から効率よく排水が可能である。
３．押圧板が、押圧板の左右両端部に押圧板に対して立設状に形成された一対の側板を備えている場合には、吸水体を押圧挟持するに際して、押圧板を補強し、確実に吸水体を押圧挟持することができる。
４．側板の底部が台座部材の載置面に当接して、押圧板が自立可能である場合には、除水作業から手を休めた場合においても、押圧板が自立しているため、次の除水作業に入りやすい。
５．台座部材が、台座部材の外側端部に台座部材に対して立設状に形成された側部を備えている場合には、押圧板を支持する上で、台座部材を補強し、押圧板を確実に載置することができる。
６．孔部が、台座部材の長手方向に複数備えられている場合には、吸水体の厚さに応じて、突出片の位置を変更することができる。
７．記押圧板の上部を外方に折り曲げ加工して形成された把手部を備えている場合には、押圧板を把手しやすいため、作業性を高めることができる。
【図面の簡単な説明】
【０００９】
【図１】本考案の実施形態１の吸水体絞り具に吸水体を挟持した例を示す斜視図である。
【図２】本考案の実施形態１の吸水体絞り具の分解斜視図である。
【図３】本考案の実施形態２の吸水体絞り具に吸水体を挟持した例を示す斜視図である。
【図４】本考案の実施形態２の吸水体絞り具の分解斜視図である。
【図５】図３のＸ−Ｘ断面図である。
【図６】図５の状態から吸水体を押圧挟持して除水した状態を示す断面図である。
【図７】図６の状態から突出片の位置を内側の孔部に変更し、吸水体を押圧狭持して更に除水した状態を示す断面図である。
【考案を実施するための形態】
【００１０】
以下、図１〜７を参照しながら本考案を詳しく説明する。尚、本考案は、かかる図に記載された具体例に示すものに限られず、目的、用途に応じて種々変更したものとすることができる。
本考案の吸水体絞り具は、例えば図１及び図２に示す吸水体絞り具１のように、排水受部８０の上端８１に載置した一対の台座部材２０と、台座部材２０間に載架して対向立設した一対の押圧板１０と、を有し、押圧板１０から下方に延出した突出片１５が、台座部材２０それぞれに設けた孔部２０ｈに遊挿して係合され、押圧板１０間に吸水体５０を押圧挟持して除水することを特徴とする。
前記「排水受部」は、吸水体からの除水により排出される水を受ける部材である。排水を受けることができれば特に限定はないが、通常、バケツである。また、特に容器であることを要せず、排水口など排水を受ける箇所であればよい。
前記「吸水体」は、通常、水を含んだスポンジであるが、スポンジ以外でも、水を吸収しやすい多孔質の軟質材等が該当し、雑巾なども含む。
【００１１】
［１］台座部材
前記「台座部材」は、排水受部の上端に、一対載置する部材であり、前記一対の押圧板を載架するためのものである。台座部材は、一対の押圧板を載架できれば特に限定はないが、図１に示す台座部材２０のように、通常、長尺の板材からなる。このように、台座部材２０間に押圧板１０を載架するため、押圧挟持された吸水体１０からの排水が、下方に落下する空間が確保される。
この一対の台座部材は、必ずしも分離されている必要はなく、端部同士が接続されていて、枠体を形成していてもよい。
台座部材の材質も特に限定されず、金属製、合成樹脂製、又は木製とすることができる。強度、耐久性に優れる点から金属製であることが好ましく、更に耐食性に優れるステンレス製であることが特に好ましい。また、合成樹脂で一体に形成すれば、量産した場合の低コスト化を図ることができる。
【００１２】
台座部材には、それぞれの押圧板から下方に延出した突出片が、遊挿して係合される孔部が設けられている。孔部は、突出片が、遊挿して係合されれば特に限定はないが、図２に示すように、矩形状の孔部２０ｈとすることができる。
また、図４に示す吸水体絞り具２のように、例えばスリット状の孔部４１ｈを台座部材の長手方向に複数備えることもできる。こうすることで、吸水体の厚さに応じて、突出片３５の位置を適宜変更することができる。
【００１３】
更に図４に示すように、台座部材４０の外側端部に台座部材４０に対して立設状に形成された側部４３を備えている場合には、押圧板３０を支持する上で、台座部材４０を補強し、押圧板３０を確実に載置することができる。
【００１４】
［２］押圧板
前記「押圧板」は、前記台座部材間に載架して対向立設した一対の板状体であり、押圧板間に吸水体を押圧挟持して除水するための部材である。吸水体を押圧挟持して除水することができれば、形状は特に限定されないが、図１に示す押圧板１０のように通常、長方形板状である。
そして、その押圧板１０から下方に延出した突出片１５を備えている。突出片１５は台座部材２０に設けた孔部２０ｈに遊挿して係合される。
押圧板の材質も特に限定されず、金属製、合成樹脂製、又は木製とすることができる。強度、耐久性に優れる点から金属製であることが好ましく、更に耐食性に優れるステンレス製であることが特に好ましい。また、合成樹脂で一体に形成すれば、量産した場合の低コスト化を図ることができる。
【００１５】
押圧板１０の少なくとも一方に、排水をするための複数の排水孔１０ｈが穿設されていることが好ましい。こうすることで、吸水体５０を押圧挟持した場合に、排水孔１０ｈからも排水が可能である。
【００１６】
更に、図３及び図４に示す押圧板３０のように、押圧板３０の左右両端部に押圧板３０に対して立設状に形成された一対の側板３３を備えている場合には、吸水体５０を押圧挟持するに際して、押圧板３０を補強し、確実に吸水体５０を押圧することができる。
そして、図５に示すように、側板３３の底部端面３３ａが台座部材４０の載置面４１ａ上に当接して、押圧板３０が自立可能である場合には、安定した状態で除水作業を行うことができる。更に、除水作業から手を休めた場合においても、押圧板３０が自立しているため、次の除水作業に入りやすい。
【００１７】
また、図３及び図４に示すように、押圧板３０の上部を外方に折り曲げ加工して形成された把手部３７を備えている場合には、押圧板３０を把手しやすいため、作業性を高めることができる。
【００１８】
更に、図４に示すように、押圧板３０の外側下端部に補強板３８を固着することもできる。補強板３８は押圧板３０を補強すると共に、台座部材４０上に押圧板３０が自立するのを補助する役割を果たす。
また、突出片３５の裏側に補強片３９を固着して、突出片３５を補強することもできる。
【００１９】
（使用方法及び動作）
図３及び図４に示す吸水体絞り具２を用いて、その使用方法及び動作について説明する。
最初に、排水受部８０としてのバケツの上端８１に一対の台座部材４０を載置する。次いで、一対の押圧板３０を、その突出片３５が台座部材４０の孔部４１ｈに挿着するようにして、載置部４１上に載置する。この時、図５に示すように、側板３３の底部端面３３ａが台座部材４０の載置面４１ａ上に当接する。
そして、吸水体５０としての水を含ませたスポンジを押圧板３０の間に挟持する。
次いで、一対の把手部３７を手で持って、押圧板３０を内側に押圧すると、スポンジは圧縮されてスポンジ内部に含まれていた水が、押圧板３０の内部からバケツ内に排出される。同時に、排水孔３１ｈからも水が流出してバケツ内に、排出される。
押圧挟持するに際しては、図６に示すように、孔部４１ｈの内面を支点として、押圧板３０が回動する。このように、支点から把手部３７である作用点までが長いため、比較的小さな力で絞りきることができる。
また、更に圧縮可能な軟質のスポンジの場合には、図７に示すように、突出片３５を更に内側の孔部４１ｈに係合させて、押圧板３０の上端部同士が当接するまで、吸水体５０を絞りきることも可能である。
【符号の説明】
【００２０】
１、２；吸水体絞り具、１０、３０；押圧板、１０ｈ、３１ｈ；排水孔、１５、３５；突出片、２０、４０；台座部材、２０ｈ、４１ｈ；孔部、３３；側板、３３ａ；底部、３７；把手部、４３；側部、５０；吸水体、８０；排水受部、８１；上端
【図１】
0003184473.tif 000003
【図２】
0003184473.tif 000004
【図３】
0003184473.tif 000005
【図４】
0003184473.tif 000006
【図５】
0003184473.tif 000007
【図６】
0003184473.tif 000008
【図７】
0003184473.tif 000009